(57)【要約】【課題】インバータ装置が大型化するのを抑制することが可能なインバータ装置を提供する。【解決手段】このインバータ装置１００は、基板７と、基板７に配置されるインバータ装置１００用の電解コンデンサ２とを備える。そして、基板７は、電解コンデンサ２が取り付けられる孔部１０を有し、電解コンデンサ２は、電解コンデンサ２の中心軸線Ｃが基板７の表面７ａに対して傾斜するように、基板７に対して寝かせた状態で基板７の孔部１０に取り付けられている。【選択図】図２
2017108497.tif 000002
【特許請求の範囲】
【請求項１】
基板と、
前記基板に配置されるインバータ装置用の電解コンデンサとを備え、
前記基板は、前記電解コンデンサが取り付けられる孔部を有し、
前記電解コンデンサは、前記電解コンデンサの中心軸線が前記基板の表面に対して傾斜するように、前記基板に対して寝かせた状態で前記基板の前記孔部に取り付けられている、インバータ装置。
【請求項２】
前記孔部は、平面視において、前記電解コンデンサの中心軸線が延びる方向と直交する方向に第１の幅を有する第１孔部と、前記第１孔部に連続するように設けられ、前記電解コンデンサの中心軸線が延びる方向と直交する方向に前記第１の幅以下の第２の幅を有するとともに、前記第２の幅が前記第１孔部に連続する側とは反対側に向かって徐々に小さくなる第２孔部とを含む、請求項１に記載のインバータ装置。
【請求項３】
平面視において、前記第２の幅が前記第１孔部に連続する側とは反対側に向かって徐々に小さくなるように、前記第２孔部の縁部は、曲線状に形成されている、請求項２に記載のインバータ装置。
【請求項４】
前記電解コンデンサは、略円筒形状を有し、
前記第１孔部の前記第１の幅は、平面視において、前記略円筒形状の電解コンデンサの直径以上であり、前記第２孔部の前記第２の幅は、平面視において、前記略円筒形状の電解コンデンサの直径よりも小さい、請求項２または３に記載のインバータ装置。
【請求項５】
前記第１孔部は、平面視において、略矩形形状を有するとともに、前記第２孔部は、略台形形状を有する、請求項２〜４のいずれか１項に記載のインバータ装置。
【請求項６】
平面視において、前記第２孔部の前記第１孔部と接続する部分の前記第２の幅が、前記第１の幅よりも小さくなるように、前記第２孔部と前記第１孔部との接続部分が段差形状に形成されている、請求項２〜５のいずれか１項に記載のインバータ装置。
【請求項７】
前記孔部は、前記第１孔部の前記第２孔部とは反対側において、前記第１孔部に連続するように設けられ、前記電解コンデンサの中心軸線が延びる方向と直交する方向に前記第１の幅よりも小さい第３の幅を有し、前記電解コンデンサに接続される配線を逃がすための第３孔部をさらに含む、請求項２〜６のいずれか１項に記載のインバータ装置。
【請求項８】
前記電解コンデンサは、前記孔部に嵌め込まれた状態でバンド部材により前記基板に固定されている、請求項１〜７のいずれか１項に記載のインバータ装置。
【請求項９】
前記基板は、前記バンド部材が貫通する第４孔部をさらに有する、請求項８に記載のインバータ装置。
【発明の詳細な説明】
【技術分野】
【０００１】
この発明は、インバータ装置に関し、特に、基板に配置されるインバータ用の電解コンデンサを備えるインバータ装置に関する。
【背景技術】
【０００２】
従来、基板に配置されるインバータ用の電解コンデンサを備えるインバータ装置が知られている（たとえば、特許文献１参照）。
【０００３】
上記特許文献１には、主回路基板と、主回路基板に配置される平滑コンデンサ（電解コンデンサ）とを備えるインバータ装置が開示されている。このインバータ装置では、平滑コンデンサは、略円筒形状を有している。そして、平滑コンデンサは、略円筒形状の平滑コンデンサの中心軸線が主回路基板の表面に対して直交するように、主回路基板に立てた状態で配置されている。
【先行技術文献】
【特許文献】
【０００４】
【特許文献１】特開２０１０−６８６７０号公報
【発明の概要】
【発明が解決しようとする課題】
【０００５】
しかしながら、上記特許文献１に記載されたインバータ装置では、平滑コンデンサが主回路基板に立てた状態で配置されているため、インバータ装置内に、平滑コンデンサの高さ分（中心軸線に沿った方向の長さ分）の空間が必要になる。このため、インバータ装置がコンデンサの高さ方向に大型化するという問題点がある。
【０００６】
この発明は、上記のような課題を解決するためになされたものであり、この発明の１つの目的は、インバータ装置がコンデンサの高さ方向に大型化するのを抑制することが可能なインバータ装置を提供することである。
【課題を解決するための手段】
【０００７】
上記目的を達成するために、この発明の一の局面によるインバータ装置は、基板と、基板に配置されるインバータ装置用の電解コンデンサとを備え、基板は、電解コンデンサが取り付けられる孔部を有し、電解コンデンサは、電解コンデンサの中心軸線が基板の表面に対して傾斜するように、基板に対して寝かせた状態で基板の孔部に取り付けられている。
【０００８】
この発明の一の局面によるインバータ装置では、上記のように、電解コンデンサは、電解コンデンサの中心軸線が基板の表面に対して傾斜するように、基板に対して寝かせた状態で基板の孔部に取り付けられている。これにより、電解コンデンサが基板に寝かせた状態で配置されるので、電解コンデンサが基板に立てた状態で配置されている場合と比べて、基板の表面からの電解コンデンサの突出高さを小さくすることができる。その結果、インバータ装置内の電解コンデンサを配置するための高さ方向の空間が比較的小さくなるので、インバータ装置が大型化するのを抑制することができる。
【０００９】
また、電解コンデンサを、電解コンデンサの中心軸線が基板の表面に対して傾斜するように基板の孔部に取り付けることにより、電解コンデンサの大きさ（中心軸線に沿った方向の長さ）がある程度大きくなった場合でも、インバータ装置を大型化することなく、ある程度大きくなった電解コンデンサをインバータ装置に配置することができる。すなわち、容量の異なるインバータ装置同士で、部品を共通化することができるので、部品の種類の数が増加するのを抑制することができる。
【００１０】
また、電解コンデンサを、電解コンデンサの中心軸線が基板の表面に対して傾斜するように基板の孔部に取り付けることにより、電解コンデンサの基板の表面からの電解コンデンサの突出高さと、周辺に配置される他の部品との高さとの差を比較的小さくすることができるので、インバータ装置内のデッドスペースを小さくすることができる。
【００１１】
また、電解コンデンサを、電解コンデンサの中心軸線が基板の表面に対して傾斜するように基板の孔部に取り付けることにより、電解コンデンサの中心軸線が基板の表面に対して水平になるように基板に寝かせて配置されている場合と異なり、電解コンデンサの水平方向の移動を抑制することができる。
【００１２】
上記一の局面によるインバータ装置において、好ましくは、孔部は、平面視において、電解コンデンサの中心軸線が延びる方向と直交する方向に第１の幅を有する第１孔部と、第１孔部に連続するように設けられ、電解コンデンサの中心軸線が延びる方向と直交する方向に第１の幅以下の第２の幅を有するとともに、第２の幅が第１孔部に連続する側とは反対側に向かって徐々に小さくなる第２孔部とを含む。このように構成すれば、第２孔部の第２の幅が第１孔部に連続する側とは反対側に向かって徐々に小さくなるように構成されているので、第２孔部の大きさや形状を変更することなく、大きさ（電解コンデンサの中心軸線が延びる方向と直交する方向の幅）が異なる複数の電解コンデンサを第２孔部によって支持することができる。すなわち、大きさの異なる複数の電解コンデンサに対して、孔部が設けられる基板を共通化することができる。
【００１３】
この場合、好ましくは、平面視において、第２の幅が第１孔部に連続する側とは反対側に向かって徐々に小さくなるように、第２孔部の縁部は、曲線状に形成されている。このように構成すれば、たとえば電解コンデンサが略円筒形状の場合、第２孔部の縁部と略円筒形状の電解コンデンサの下方（基板側の部分）とが接触する部分の長さを比較的長くする（線接触させる）ことができる。これにより、電解コンデンサを安定した状態で、基板に配置することができる。
【００１４】
上記孔部が第１孔部と第２孔部とを含むインバータ装置において、好ましくは、電解コンデンサは、略円筒形状を有し、第１孔部の第１の幅は、平面視において、略円筒形状の電解コンデンサの直径以上であり、第２孔部の第２の幅は、平面視において、略円筒形状の電解コンデンサの直径よりも小さい。このように構成すれば、第１孔部および第２孔部に略円筒形状の電解コンデンサを配置した場合、少なくとも第１孔部を介して基板の下方に電解コンデンサが部分的に突出するので、基板の表面からの電解コンデンサの突出高さをより小さくすることができる。また、第２孔部の第２の幅が、平面視において、略円筒形状の電解コンデンサの直径よりも小さいので、電解コンデンサを下方から支持することができる。
【００１５】
上記孔部が第１孔部と第２孔部とを含むインバータ装置において、好ましくは、第１孔部は、平面視において、略矩形形状を有するとともに、第２孔部は、略台形形状を有する。このように構成すれば、第１孔部が略矩形形状を有する（電解コンデンサの中心軸線に直交する直線状の部分を有する）ので、電解コンデンサの中心軸線が延びる方向の一方端が、略矩形形状の第１孔部に線接触した状態で、電解コンデンサを配置することができる。また、第２孔部が略台形形状（左右対称な形状）を有することにより、第２孔部の大きさや形状を変更することなく、大きさ（電解コンデンサの中心軸線が延びる方向と直交する方向の幅）が異なる複数の電解コンデンサを第２孔部によって安定した状態で支持することができる。
【００１６】
上記孔部が第１孔部と第２孔部とを含むインバータ装置において、好ましくは、平面視において、第２孔部の第１孔部と接続する部分の第２の幅が、第１の幅よりも小さくなるように、第２孔部と第１孔部との接続部分が段差形状に形成されている。このように構成すれば、第１孔部と第２孔部との境界が明確になる（視認しやすくなる）ので、電解コンデンサが第２孔部の所定の位置に配置されたか否かを容易に確認することができる。
【００１７】
上記孔部が第１孔部と第２孔部とを含むインバータ装置において、好ましくは、孔部は、第１孔部の第２孔部とは反対側において、第１孔部に連続するように設けられ、電解コンデンサの中心軸線が延びる方向と直交する方向に第１の幅よりも小さい第３の幅を有し、電解コンデンサに接続される配線を逃がすための第３孔部をさらに含む。このように構成すれば、電解コンデンサの中心軸線が延びる方向の一方端から延びる配線を、第３孔部を介して、基板の下方に引き回すことができる。
【００１８】
上記一の局面によるインバータ装置において、好ましくは、電解コンデンサは、孔部に嵌め込まれた状態でバンド部材により基板に固定されている。このように構成すれば、電解コンデンサを、バンド部材により確実に固定することができる。
【００１９】
この場合、好ましくは、基板は、バンド部材が貫通する第４孔部をさらに有する。このように構成すれば、第４孔部を介してバンド部材により電解コンデンサを基板に固定することにより、電解コンデンサを基板に強固に固定することができる。
【発明の効果】
【００２０】
本発明によれば、上記のように、インバータ装置が大型化するのを抑制することができる。
【図面の簡単な説明】
【００２１】
【図１】本発明の一実施形態によるインバータ装置の回路図である。
【図２】本発明の一実施形態によるインバータ装置の斜視図である。
【図３】本発明の一実施形態によるインバータ装置の電解コンデンサが配置される基板の平面図である。
【図４】本発明の一実施形態によるインバータ装置の基板に電解コンデンサが配置された状態の側面図である。
【図５】本発明の一実施形態によるインバータ装置の基板に電解コンデンサが配置された状態を上方から見た斜視図である。
【図６】本発明の一実施形態によるインバータ装置の基板に電解コンデンサが配置された状態を上方から見た平面図である。
【図７】本発明の一実施形態によるインバータ装置の基板に電解コンデンサが配置された状態を下方から見た平面図である。
【図８】本発明の一実施形態によるインバータ装置の基板に電解コンデンサが配置された状態を下方から見た斜視図である。
【発明を実施するための形態】
【００２２】
以下、本発明を具体化した実施形態を図面に基づいて説明する。
【００２３】
図１〜図８を参照して、本実施形態によるインバータ装置１００の構成について説明する。
【００２４】
（インバータ装置の回路構成）
まず、図１を参照して、インバータ装置１００の回路構成について説明する。インバータ装置１００は、図１に示すように、コンバータ部１と、電解コンデンサ２と、インバータ部３と、フィルタ用のコンデンサＣ１〜Ｃ６とを備えている。
【００２５】
コンバータ部１は、６個のダイオード１ａを含む。コンバータ部１および電解コンデンサ２は、電源２００から入力された交流を、直流に変換する（整流する）ように構成されている。
【００２６】
インバータ部３は、６個のスイッチング素子３ａ〜３ｆを含む。スイッチング素子３ａ〜３ｆのうち、スイッチング素子３ａ〜３ｃは、上アームを構成し、スイッチング素子３ｄ〜３ｆは、下アームを構成する。また、インバータ部３は、コンバータ部１および電解コンデンサ２により整流された直流を、交流に変換して出力するように構成されている。
【００２７】
フィルタ用のコンデンサは、コンバータ部１の入力側に設けられるコンデンサＣ１、Ｃ２およびＣ３と、コンバータ部１とインバータ部３との間に設けられるコンデンサＣ４、Ｃ５およびＣ６とを含む。フィルタ用のコンデンサＣ１〜Ｃ６は、インバータ装置１００から発生するノイズを低減する機能を有する。
【００２８】
（インバータ装置の構造）
図２を参照して、インバータ装置１００の具体的な構造について説明する。
【００２９】
図２に示すように、インバータ装置１００は、冷却部４と、ドライブ基板５と、基板６と、基板７とを含む。冷却部４と、ドライブ基板５と、基板６と、基板７とは、下方（Ｚ２方向）から上方（Ｚ１方向）に向かってこの順で積層されている。
【００３０】
冷却部４の下面には、複数の放熱（冷却）のためのフィン４１が設けられている。また、冷却部４は、放熱性に優れたアルミニウム（Ａｌ）などの金属により形成されている。また、冷却部４は、ダイカスト法により形成されている。
【００３１】
ドライブ基板５には、インバータ部３（スイッチング素子３ａ〜３ｆ）が実装されている。
【００３２】
基板６の上面には、コンバータ部１（ダイオード１ａなど）が実装されている。
【００３３】
基板７には、インバータ装置１００用の電解コンデンサ２、および、コンデンサＣ１〜Ｃ６が配置されている。また、電解コンデンサ２は、略円筒形状（略円柱形状）を有する。このような構造において、インバータ装置１００は不図示のケース部材により各基板５、６および７や半導体モジュール、コンデンサ等の電子部品を覆っている。一般に、インバータ装置１００は、図２のＺ１方向が前面、Ｚ２方向が背面になるように、配電盤内に収容・設置される。この場合、配電盤の設置面積を小さくするためにも、インバータ装置１００はＺ方向（前後方向）の厚さを小さくすることが望まれる。
【００３４】
（基板７の構造）
次に、図３〜図８を参照して、基板７の構造について説明する。なお、図６〜図８では、図面の簡略化のため、バンド部材２０を省略している。
【００３５】
ここで、本実施形態では、図３に示すように、基板７は、電解コンデンサ２が取り付けられる孔部１０を有する。そして、図４および図５に示すように、電解コンデンサ２は、電解コンデンサ２の中心軸線Ｃが基板７の表面７ａに対して傾斜するように、基板７に対して寝かせた状態で基板７の孔部１０に取り付けられている。具体的には、電解コンデンサ２は、後述する孔部１１から孔部１２に向かって上方に傾斜するように、孔部１０に配置される。以下、孔部１０の詳細について説明する。
【００３６】
本実施形態では、孔部１０は、平面視において、電解コンデンサ２の中心軸線Ｃが延びる方向（Ｙ方向）と直交する方向（Ｘ方向）に幅Ｗ１を有する孔部１１含む。具体的には、孔部１１は、平面視において、略矩形形状を有する。略矩形形状の孔部１１の縁部１１ａは、Ｙ方向に沿って略直線状に形成されている。また、略矩形形状の孔部１１の縁部１１ｂは、Ｘ方向に沿って略直線状に形成されている。また、孔部１１は、平面視において、Ｘ方向の幅Ｗ１が、Ｙ方向の幅Ｗ２よりも大きい長方形形状を有する。また、孔部１１は、平面視において、電解コンデンサ２の中心軸線Ｃに対して、Ｘ方向に左右対称な形状を有する。なお、孔部１１は、特許請求の範囲の「第１孔部」の一例である。また、幅Ｗ１は、特許請求の範囲の「第１の幅」の一例である。
【００３７】
また、本実施形態では、孔部１０は、孔部１１に連続するように設けられ、電解コンデンサ２の中心軸線Ｃが延びる方向（Ｙ方向）と直交する方向（Ｘ方向）に幅Ｗ１以下の幅Ｗ３を有するとともに、幅Ｗ２が孔部１１に連続する側（Ｙ２方向側）とは反対側（Ｙ１方向側）に向かって徐々に小さくなる孔部１２を含む。孔部１２は、平面視において、略台形形状を有する。すなわち、孔部１２は、平面視において、電解コンデンサ２の中心軸線Ｃに対して、Ｘ方向に左右対称な形状を有する。なお、孔部１２は、特許請求の範囲の「第２孔部」の一例である。また、幅Ｗ３は、特許請求の範囲の「第２の幅」の一例である。
【００３８】
また、本実施形態では、平面視において、幅Ｗ３が、孔部１１に連続する側（Ｙ２方向側）とは反対側（Ｙ１方向側）に向かって徐々に小さくなるように、孔部１２の縁部１２ａ（Ｙ方向に沿って延びる縁部１２ａ）は、曲線状に形成されている。また、縁部１２ａは、Ｙ１方向に向かって曲りの度合い（曲率）が徐々の大きくなるように構成されている。また、孔部１２の縁部１２ｂは、Ｘ方向に沿って略直線状に形成されている。
【００３９】
また、本実施形態では、孔部１１の幅Ｗ１は、平面視において、略円筒形状の電解コンデンサ２の直径Ｄ（図６参照）以上である。また、孔部１２の幅Ｗ３は、平面視において、略円筒形状の電解コンデンサ２の直径Ｄよりも小さい。具体的には、孔部１１の幅Ｗ１は、平面視において、電解コンデンサ２の直径Ｄに略等しい。すなわち、孔部１１は、電解コンデンサ２が貫通可能（図４参照）な幅Ｗ１を有する。また、孔部１２は、電解コンデンサ２が貫通しない幅Ｗ３（基板７により電解コンデンサ２を支持可能な幅Ｗ３）を有する。
【００４０】
また、孔部１１のＹ方向の幅Ｗ２は、孔部１２のＹ方向の幅Ｗ４よりも小さい。
【００４１】
また、本実施形態では、平面視において、孔部１２の孔部１１と接続する部分の幅Ｗ３が、幅Ｗ１よりも小さくなるように、孔部１２と孔部１１との接続部分１３が段差形状に形成されている。すなわち、孔部１２と孔部１１との接続部分１３は、孔部１２の内側に向かって突出する角形状に形成されている。
【００４２】
また、本実施形態では、孔部１０は、孔部１１の孔部１２とは反対側（Ｙ２方向側）において、孔部１１に連続するように設けられる孔部１４を含む。孔部１４は、電解コンデンサ２の中心軸線Ｃが延びる方向（Ｙ方向）と直交する方向（Ｘ方向）に幅Ｗ１よりも小さい幅Ｗ５を有する。また、孔部１４は、電解コンデンサ２に接続される配線２ａ（図７および図８参照）を逃がすために設けられている。また、配線２ａは、基板７の下方に配置される基板６に電気的に接続されている。なお、孔部１４は、特許請求の範囲の「第３孔部」の一例である。また、幅Ｗ５は、特許請求の範囲の「第３の幅」の一例である。
【００４３】
また、孔部１４は、平面視において、略矩形形状（略正方形形状）を有する。また、孔部１４は、平面視において、電解コンデンサ２の中心軸線Ｃに対して、Ｘ方向に左右対称な形状を有する。すなわち、孔部１０（孔部１１、孔部１２、孔部１４）は、平面視において、電解コンデンサ２の中心軸線Ｃに対して、Ｘ方向に左右対称な形状を有する。
【００４４】
また、本実施形態では、基板７は、バンド部材２０（図２参照）が貫通する孔部１５を有する。孔部１５は、孔部１０（孔部１２）のＸ方向の両側に一対設けられている。なお、孔部１５は、特許請求の範囲の「第４孔部」の一例である。
【００４５】
そして、図２および図４に示すように、電解コンデンサ２は、孔部１０に嵌め込まれた状態でバンド部材２０により基板７に固定されている。具体的には、電解コンデンサ２を孔部１０に配置した状態で、バンド部材２０の一方端側および他方端側を、それぞれ、一対の孔部１５に挿入する。そして、バンド部材２０の一方端および他方端同士を固定することにより、電解コンデンサ２が基板７に固定される。なお、バンド部材２０は、樹脂などにより形成された結束バンド（インシュロック（登録商標））などからなる。
【００４６】
次に、図４、図７および図８を参照して、孔部１０に配置された電解コンデンサ２の状態について説明する。
【００４７】
図４に示すように、電解コンデンサ２は、基板７の表面７ａの斜め上方から斜め下方に向かって、孔部１０に挿入される。これにより、図７に示すように、電解コンデンサ２のＹ２方向側の端面２ｂが、孔部１１の縁部１１ｂに当接する。なお、電解コンデンサ２の端面２ｂは、縁部１１ｂに線接触（図７の太い線で示された部分Ａ１）する。また、電解コンデンサ２のＹ２方向側の端面２ｂのＸ１方向側およびＸ２方向側が、共に、縁部１１ｂに線接触する。
【００４８】
また、電解コンデンサ２の側面２ｃが、孔部１２の縁部１２ａに当接する。なお、電解コンデンサ２の側面２ｃは、縁部１２ａに線接触（図７の太い線で示された部分Ａ２）する。また、電解コンデンサ２のＸ１方向側の側面２ｃおよびＸ２方向側の側面２ｃが、共に、縁部１２ａに線接触する。
【００４９】
また、図４、図７および図８に示すように、電解コンデンサ２が孔部１０に挿入された状態で、電解コンデンサ２の下方（Ｚ２方向側）の側面２ｃは、孔部１０を貫通して、基板７の下方に突出する。なお、孔部１１の幅Ｗ１が電解コンデンサ２の直径Ｄと略等しく、孔部１２の幅Ｗ３が電解コンデンサ２の直径Ｄよりも小さい（すなわちＷ１＞Ｗ３）ため、電解コンデンサ２は、孔部１１から孔部１２に向かって上方に傾斜するように、孔部１０に配置される。
【００５０】
また、孔部１１のＹ方向の幅Ｗ２、および、孔部１２のＹ方向の幅Ｗ４を調整することにより、電解コンデンサ２の基板７の上方（下方）への突出高さｈ１（図４参照）を調整することが可能である。具体的には、孔部１１のＹ方向の幅Ｗ２を大きくする（孔部１２のＹ方向の幅Ｗ４を小さくする）ほど、電解コンデンサ２の基板７の上方への突出高さｈ１が小さくなる一方、下方への突出高さｈ２が大きくなる。また、孔部１１のＹ方向の幅Ｗ２を小さくする（孔部１２のＹ方向の幅Ｗ４を大きくする）ほど、電解コンデンサ２の基板７の上方への突出高さｈ１が大きくなる（下方への突出高さｈ２が小さくなる）。
【００５１】
（本実施形態の効果）
本実施形態では、以下のような効果を得ることができる。
【００５２】
本実施形態では、上記のように、電解コンデンサ２は、電解コンデンサ２の中心軸線Ｃが基板７の表面７ａに対して傾斜するように、基板７に対して寝かせた状態で基板７の孔部１０に取り付けられている。これにより、電解コンデンサ２が基板７に寝かせた状態で配置されるので、電解コンデンサ２が基板７に立てた状態で配置されている場合と比べて、基板７の表面７ａからの電解コンデンサ２の突出高さｈ１を小さくすることができる。その結果、インバータ装置１００内の電解コンデンサ２を配置するためのＺ方向の空間が比較的小さくなるので、インバータ装置１００がＺ方向に大型化するのを抑制することができる。
【００５３】
また、電解コンデンサ２を、電解コンデンサ２の中心軸線Ｃが基板７の表面７ａに対して傾斜するように基板７の孔部１０に取り付けることにより、電解コンデンサ２の大きさ（中心軸線Ｃに沿った方向の長さ）がある程度大きくなった場合でも、インバータ装置１００をＺ方向に大型化することなく、ある程度大きくなった電解コンデンサ２をインバータ装置１００に配置することができる。すなわち、容量の異なるインバータ装置１００同士で、部品を共通化することができるので、部品の種類の数が増加するのを抑制することができる。
【００５４】
また、電解コンデンサ２を、電解コンデンサ２の中心軸線Ｃが基板７の表面７ａに対して傾斜するように基板７の孔部１０に取り付けることにより、電解コンデンサ２の基板７の表面７ａからの電解コンデンサ２の突出高さｈ１と、周辺に配置される他の部品（フィルタ用のコンデンサＣ１〜Ｃ６など、図４参照）との高さｈ３（図４参照）との差を比較的小さくすることができるので、インバータ装置１００内のＺ方向のデッドスペースを小さくすることができる。
【００５５】
また、電解コンデンサ２を、電解コンデンサ２の中心軸線Ｃが基板７の表面７ａに対して傾斜するように基板７の孔部１０に取り付けることにより、電解コンデンサ２の中心軸線Ｃが基板７の表面７ａに対して水平になるように基板７に寝かせて配置されている場合と異なり、電解コンデンサ２の水平方向の移動を抑制することができる。
【００５６】
また、本実施形態では、上記のように、孔部１０は、平面視において、電解コンデンサ２の中心軸線Ｃが延びる方向と直交する方向に幅Ｗ１を有する孔部１１と、孔部１１に連続するように設けられ、電解コンデンサ２の中心軸線Ｃが延びる方向と直交する方向に幅Ｗ１以下の幅Ｗ３を有するとともに、幅Ｗ３が孔部１１に連続する側とは反対側に向かって徐々に小さくなる孔部１２とを含む。これにより、孔部１２の幅Ｗ３が孔部１１に連続する側とは反対側に向かって徐々に小さくなるように構成されているので、孔部１２の大きさや形状を変更することなく、大きさ（電解コンデンサ２の中心軸線Ｃが延びる方向と直交する方向の幅）が異なる複数の電解コンデンサ２を孔部１２によって支持することができる。すなわち、大きさの異なる複数の電解コンデンサ２に対して、孔部１０が設けられる基板７を共通化することができる。
【００５７】
また、本実施形態では、上記のように、平面視において、幅Ｗ３が孔部１１に連続する側とは反対側に向かって徐々に小さくなるように、孔部１２の縁部１２ａを曲線状に形成する。これにより、たとえば電解コンデンサ２が略円筒形状の場合、孔部１２の縁部１２ａと略円筒形状の電解コンデンサ２の下方（基板７側の部分）とが接触する部分の長さを比較的長くする（線接触させる）ことができる。これにより、電解コンデンサ２を安定した状態で、基板７に配置することができる。
【００５８】
また、本実施形態では、上記のように、孔部１１の幅Ｗ１は、平面視において、略円筒形状の電解コンデンサ２の直径Ｄ以上であり、孔部１２の幅Ｗ３は、平面視において、略円筒形状の電解コンデンサ２の直径Ｄよりも小さい。これにより、孔部１１および孔部１２に略円筒形状の電解コンデンサ２を配置した場合、少なくとも孔部１１を介して基板７の下方に電解コンデンサ２が部分的に突出するので、基板７の表面７ａからの電解コンデンサ２の突出高さｈ１をより小さくすることができる。また、孔部１２の幅Ｗ３が、平面視において、略円筒形状の電解コンデンサ２の直径Ｄよりも小さいので、電解コンデンサ２を下方から支持することができる。
【００５９】
また、本実施形態では、上記のように、孔部１１を、平面視において、略矩形形状を有するとともに、孔部１２を、略台形形状を有するように構成する。これにより、孔部１１が略矩形形状を有する（電解コンデンサ２の中心軸線Ｃに直交する直線状の部分を有する）ので、電解コンデンサ２の中心軸線Ｃが延びる方向の一方端が、略矩形形状の孔部１１に線接触した状態で、電解コンデンサ２を配置することができる。また、孔部１２が略台形形状（左右対称な形状）を有することにより、孔部１２の大きさや形状を変更することなく、大きさ（電解コンデンサ２の中心軸線Ｃが延びる方向と直交する方向の幅）が異なる複数の電解コンデンサ２を孔部１２によって安定した状態で支持することができる。
【００６０】
また、本実施形態では、上記のように、平面視において、孔部１２の孔部１１と接続する部分の幅Ｗ３が、幅Ｗ１よりも小さくなるように、孔部１２と孔部１１との接続部分１３を、段差形状に形成する。これにより、孔部１１と孔部１２との境界が明確になる（視認しやすくなる）ので、電解コンデンサ２が孔部１２の所定の位置に配置されたか否かを容易に確認することができる。
【００６１】
また、本実施形態では、上記のように、孔部１０は、孔部１１の孔部１２とは反対側において、孔部１１に連続するように設けられ、電解コンデンサ２の中心軸線Ｃが延びる方向と直交する方向に幅Ｗ１よりも小さい幅Ｗ５を有し、電解コンデンサ２に接続される配線２ａを逃がすための孔部１４をさらに含む。これにより、電解コンデンサ２の中心軸線Ｃが延びる方向の一方端から延びる配線２ａを、孔部１４を介して、基板７の下方に引き回すことができる。
【００６２】
また、本実施形態では、上記のように、電解コンデンサ２は、孔部１０に嵌め込まれた状態でバンド部材２０により基板７に固定されている。これにより、電解コンデンサ２を、バンド部材２０により確実に固定することができる。
【００６３】
また、本実施形態では、上記のように、基板７は、バンド部材２０が貫通する孔部１５をさらに有する。これにより、孔部１５を介してバンド部材２０により電解コンデンサ２を基板７に固定することにより、電解コンデンサ２を基板７に強固に固定することができる。
【００６４】
[変形例]
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更（変形例）が含まれる。
【００６５】
たとえば、上記実施形態では、孔部１２の縁部１２ａが曲線状に形成されている例について示したが、本発明はこれに限られない。たとえば、孔部１２の縁部１２ａが直線状に形成されていてもよい。
【００６６】
また、上記実施形態では、孔部１１の幅Ｗ１が、平面視において、略円筒形状の電解コンデンサ２の直径Ｄに略等しい例を示したが、本発明はこれに限られない。たとえば、孔部１１の幅Ｗ１が、平面視において、略円筒形状の電解コンデンサ２の直径Ｄよりも大きくてもよい。
【００６７】
また、上記実施形態では、孔部１１が、平面視において、略矩形形状を有するとともに、孔部１２が略台形形状を有する例を示したが、本発明はこれに限られない。たとえば、孔部１１が、平面視において、略矩形形状以外の形状を有するとともに、孔部１２が略台形形状以外の形状を有していてもよい。
【００６８】
また、上記実施形態では、孔部１２の孔部１１と接続する部分の幅Ｗ３が、幅Ｗ１よりも小さくなるように、孔部１２と孔部１１との接続部分１３が段差形状に形成されている例を示したが、本発明はこれに限られない。たとえば、孔部１２の孔部１１と接続する部分の幅Ｗ３を幅Ｗ１に等しくして、孔部１２と孔部１１との接続部分１３に段差を設けないように構成してもよい。
【００６９】
また、上記実施形態では、電解コンデンサ２を、孔部１５に嵌め込まれた状態で結束バンドからなるバンド部材２０により、基板７に固定する例を示したが、本発明はこれに限られない。たとえば、結束バンド以外のバンド部材２０により、電解コンデンサ２を基板７に固定してもよい。
【符号の説明】
【００７０】
２  電解コンデンサ
２ａ  配線
７  基板
７ａ  表面
１０  孔部
１１  孔部（第１孔部）
１２  孔部（第２孔部）
１２ａ  縁部
１３  接続部分
１４  孔部（第３孔部）
１５  孔部（第４孔部）
２０  バンド部材
１００  インバータ装置
Ｃ  中心軸線
Ｄ  直径
Ｗ１  幅（第１の幅）
Ｗ３  幅（第２の幅）
Ｗ５  幅（第３の幅）
【図１】
2017108497.tif 000003
【図２】
2017108497.tif 000004
【図３】
2017108497.tif 000005
【図４】
2017108497.tif 000006
【図５】
2017108497.tif 000007
【図６】
2017108497.tif 000008
【図７】
2017108497.tif 000009
【図８】
2017108497.tif 000010